(57)【要約】【課題】隣接する防水床部材を接合して成る防水床の構造に関し、防水床部材の接合部に確実なシール性能を与える。【解決手段】架台４で支持した防水床部材１，２上に表層材Ｐを配置し、重ね合わせ領域Ｒの近傍に補強材Ｑを配置する。下側の防水床部材２に形成した起立部２ａ上に上側の防水床部材１の下面を重ね合わせ、上側の防水床部材１に形成した垂下部１ａの下端を下側の防水床部材２上面に当接させる。上下の防水床部材１，２の重ね合わせ領域に形成される収納空間Ｓに、吸水膨潤性シール材２０を配置する。水が防水床部材１，２の接合部Ｊ内に浸入しようとしても、重ね合わせ領域Ｒに配置した吸水膨潤性シール材２０が即座に水を吸収して体膨張し、接合部Ｊの隙間を水密的に閉止する。従って、防水床部材１，２から下へは決して水を漏出させることがない。【選択図】      図９
2006112146.tif 000002
【特許請求の範囲】
【請求項１】
隣接する防水床部材を接合することにより構築される防水床の構造であって、隣接する防水床部材の接合部に、吸水すると膨潤して接合部の隙間を水密的に閉塞する吸水膨潤性シール材を配置したことを特徴とする防水床構造。
【請求項２】
前記防水床部材の接合部が、隣接する防水床部材の一方の上面に、他方の防水床部材の端部を重ね合わせることによって形成されている請求項１に記載の防水床構造。
【請求項３】
上側に位置する防水床部材と下側に位置する防水床部材との重ね合わせ領域に、前記吸水膨潤性シール材の収納空間が形成され、当該収納空間は前記吸水膨潤性シール材で充填された実質的に閉塞空間である請求項２に記載の防水床構造。
【請求項４】
前記防水床部材の重ね合わせ領域に形成される収納空間は、上側に位置する防水床部材に設けた垂下部と、下側に位置する防水床部材に設けた起立部とにより囲まれて形成されている請求項３に記載の防水床構造。
【請求項５】
前記収納空間を形成する上側の防水床部材に設けた垂下部又は下側の防水床部材に設けた起立部のいずれか一方が、別体に製作した突条を接合して形成したものである請求項４に記載の防水床構造。
【請求項６】
前記防水床部材の重ね合わせ領域に形成される収納空間は、下側に位置する防水床部材に設けた溝部に、上側に位置する防水床部材に設けた垂下部を挿入することにより形成される上下の防水床部材に囲まれた空間であって、当該収納空間が前記吸水膨潤性シール材で充填され、前記溝部内の空間における前記収納空間以外の部分はコーキング材で充填されている請求項３に記載の防水床構造。
【請求項７】
前記防水床部材の重ね合わせ領域に形成される収納空間は、上下いずれか一方の防水床部材に設けた溝部の開口部を、他方の防水床部材で閉塞することにより形成したものである請求項３に記載の防水床構造。
【請求項８】
隣接する防水床部材を、それぞれの側縁部間に架け渡した防水接合材により接合することにより構築される防水床の構造であって、前記防水床部材と防水接合材との重ね合わせ領域に、吸水すると膨潤して接合部の隙間を水密的に閉塞する吸水膨潤性シール材を配置したことを特徴とする防水床構造。
【請求項９】
耐水性を有する複数の下地材を接合し、当該下地材の上に防水シートを重層し、当該防水シートの上に表層材を配置することにより構築される防水床の構造であって、隣接する下地材どうしの接合部に、吸水すると膨潤して接合部の隙間を水密的に閉塞する吸水膨潤性シール材を配置したことを特徴とする防水床構造。
【請求項１０】
前記防水シートは、表裏面に位置する二つの防水層の間に、吸水すると膨潤する吸水膨潤性材料を挟み込んだ構造である請求項９に記載の防水床構造。
【発明の詳細な説明】
【技術分野】
【０００１】
本発明は、複数の防水床部材または下地材を接合して防水床を構築するための構造に関するものであって、上記防水床部材または下地材の接合部におけるシール性能を向上させることを目的とする。
【背景技術】
【０００２】
複数の床部材を接合して防水床を構築する技術は例えば特許文献１に記載されている。同文献１では、洗い場部及び浴槽載置部を構成する複数の分割片をシール材を間に挟んで重ね合わせたのち、重ね合わせた部分を貫通するビスで止めつけることにより、防水床を施工している。
【特許文献１】特開平８−１２０７２４号公報
【発明の開示】
【発明が解決しようとする課題】
【０００３】
特許文献１に記載された前記防水床にあっては、分割片どうしを連結するビスの締め付け強度が不充分であると、重ね合わせ領域から漏水するおそれがある。また、シール性を確実にするには、多数のビスを用い、ビスの配設間隔を短くして、接合強度を増大させることが考えられるが、この場合は作業工数が増えることになるので、施工性が悪くなるという問題を生じさせる。
【課題を解決するための手段】
【０００４】
本発明が、前記従来の問題点を解決するために採用した防水床構造の特徴とするところは、請求項１に記載の如く、隣接する防水床部材を接合することにより構築されるものであって、隣接する防水床部材の接合部に、吸水すると膨潤して接合部の隙間を水密的に閉塞する吸水膨潤性シール材を配置したことにある。
【０００５】
前記において防水床部材は、ＦＲＰ製が代表的であるが、金属製・合成樹脂製とすることも考えられる。なお防水床部材は、高さ調節が可能な架台に載設されることが多いが、架台と一体に製作される場合もある。また、防水床部材の重ね合わせ領域に配置される吸水膨潤性シール材は、例えば吸水性ポリマーを主体とするものが挙げられる。
【０００６】
前述の防水床構造において、防水床部材の接合部は、請求項２に記載の如く、隣接する防水床部材の一方の上面に、他方の防水床部材の端部を重ね合わせることによって形成する構成が考えられる。
【０００７】
前記防水床構造にあっては、請求項３に記載の如く、上側に位置する防水床部材と下側に位置する防水床部材との重ね合わせ領域に、吸水膨潤性シール材の収納空間を形成し、当該収納空間を前記吸水膨潤性シール材で充填された実質的に閉塞空間とする構成を採用することができる。
【０００８】
前記において、防水床部材の重ね合わせ領域に形成される収納空間は、請求項４に記載の如く、上側に位置する防水床部材に設けた垂下部と、下側に位置する防水床部材に設けた起立部とにより囲まれて形成されるものとすることが考えられる。
【０００９】
この場合、請求項５に記載の如く、収納空間を形成する上側の防水床部材に設けた垂下部又は下側の防水床部材に設けた起立部のいずれか一方を、別体に製作した突条を接合して形成するものとしてもよい。
【００１０】
なお前記収納空間を、請求項６に記載の如く、下側に位置する防水床部材に設けた溝部に、上側に位置する防水床部材に設けた垂下部を挿入することにより形成される上下の防水床部材に囲まれた空間とし、当該収納空間を吸水膨潤性シール材で充填し、前記溝部内の空間における前記収納空間以外の部分はコーキング材で充填する構造も考えられる。
【００１１】
さらにまた、前記収納空間を、請求項７に記載の如く、上下いずれか一方の防水床部材に設けた溝部の開口部を、他方の防水床部材で閉塞することにより形成する構成も考えらる。
【００１２】
本発明に係る防水床構造は、請求項８に記載の如く、隣接する防水床部材を、それぞれの側縁部間に架け渡した防水接合材により接合することにより構築されるものであって、前記防水床部材と防水接合材との重ね合わせ領域に、吸水すると膨潤して接合部の隙間を水密的に閉塞する吸水膨潤性シール材を配置する構成を採用することが可能である。
【００１３】
本発明に係る防水床構造のさらに異なる態様として、請求項９に記載の如く、耐水性を有する複数の下地材を接合し、当該下地材の上に防水シートを重層し、当該防水シートの上に表層材を配置することにより構築されるものであって、隣接する下地材どうしの接合部に、吸水すると膨潤して接合部の隙間を水密的に閉塞する吸水膨潤性シール材を配置する構成も採用可能である。
【００１４】
前記の場合、請求項１０に記載の如く、前記防水シートは、表裏面に位置する二つの防水層の間に、吸水すると膨潤する吸水膨潤性材料を挟み込んだ構造としてもよい。
【発明の効果】
【００１５】
請求項１に記載の防水床構造によれば、防水床部材の接合部へ水が侵入したときに、接合部に配置した吸水膨潤性シール材が、この水を即座に吸収すると同時に体積を膨張させて接合部の隙間を水密的に閉塞する。それ故、接合部からの水の漏出を確実に防ぐので、シール性能に優れた防水床を提供できる。また、接合部の水密性があまり高くなくても。確実な漏水防止機能を発揮するから、施工が容易になる。
【００１６】
請求項２に記載の防水床構造によれば、防水床部材の重ね合わせ領域に吸水膨潤性シール材を配置するので、接合部のシール面積を広く形成することができる。従って、重ね合わせ領域の水密性が高まるので、漏水を確実に防げるシール性能に優れた防水床を提供できる。
【００１７】
請求項３に記載の防水床構造によれば、吸水膨潤性シール材が充填される収納空間を実質的に閉塞空間としたので、吸水膨潤性シール材が吸収して体積膨張を起こす際に、この膨張方向を規制することができる。依って、吸水膨潤性シール材を収納空間の内面へ確実に密着させることができるから、接合部に確実なシール性を付与できる。
【００１８】
請求項４に記載の如く、収納空間を上側に位置する防水床部材に設けた垂下部と下側に位置する防水床部材に設けた起立部とで形成した場合は、上記垂下部及び起立部によって上下の防水床部材それぞれの曲げ強度が増大する。従って、防水床部材が接合部において変形しにくくなるので、シール性能の信頼性が向上する。
【００１９】
請求項５に記載の如く、上側の防水床部材の垂下部又は下側の防水床部材の起立部のいずれか一方を別体に製作した突条で形成する場合は、上下の防水床部材を重ね合わせる寸法の変更に応じ、突条の接合位置を変更することが可能なので、吸水膨潤性シール材の収納空間の寸法・形状を最適な状態に設定できる。
【００２０】
請求項６に記載の防水床構造によれば、吸水膨潤性シール材の収納空間を、下側の防水床部材に設けた溝部に、上側の防水床部材に設けた垂下部を挿入することにより形成するので、重ね合わせ領域の曲げ強度が向上する。しかも、収納空間を吸水膨潤性シール材で充填し、前記溝部内の空間における収納空間以外の部分をコーキング材で充填したので、二重のシール構造となる。従って、シール性能に優れた接合構造を提供できる。
【００２１】
請求項７に記載の防水床構造によれば、吸水膨潤性シール材の収納空間を、上下いずれか一方の防水床部材に設けた溝部の開口部を、他方の防水床部材で閉塞することにより形成する構成を採用したことにより、一方の防水床部材だけに溝部を形成すればよいから、防水床部材の製作コストを節減できる。また、溝部を閉塞する他方の防水床部材は平坦でよいから、重ね合わせ量の調節幅を大きく設定できる。
【００２２】
請求項８に記載の防水床構造は、隣接する防水床部材を、それぞれの側縁部間に架け渡した防水接合材により接合する構成としたので、上記防水接合材の幅寸法を適宜選択することにより、あるいは上記防水接合材を現場で切断することにより、施工する防水床の寸法変更に容易に対処することが出来る。
【００２３】
請求項９に記載の防水床構造によれば、耐水性を有する複数の下地材と防水シートと表層材とで構築される防水床において、万一、防水シートが破損して下地材に漏水が達したとしても、下地材の接合部に配置した吸水膨潤性シール材がこの水を吸収して接合部を水密的に閉塞するから、下地材よりも下方への漏水を確実に防止できる。
【００２４】
なお前記防水床構造において、請求項１０に記載の如く、前記防水シートを、表裏面に位置する二つの防水層の間に吸水膨潤性材料を挟み込んだ構造とした場合は、防水シートに破損が生じたときに、内部の吸水膨潤性材料が水を吸収して膨潤することにより破損部を水密的に閉塞する。従って、下方への漏水防止効果が一層向上する。
【発明を実施するための最良の形態】
【００２５】
［第１の実施形態］
図１に、本発明に係る防水床構造の一実施形態を示す。同構造は、浴室・トイレ・洗面所・シャワー室など、室内で水を使用することを想定した箇所の床を施工するのに適用される。本例の防水床Ｆは、二つの防水床部材１，２、各防水床部材１，２を支持する架台４、防水床部材１，２の上に配置される表層材Ｐから構成されている。また必要に応じ、美観性・耐摩耗性・表面強度その他の特性を向上させる目的で、表層材Ｐの上に、タイルＴや、樹脂シート・セラミック板等の仕上げ材が配置される。
【００２６】
二つの防水床部材１，２は端縁部を重ね合わせて接合されるが、その接合部Ｊの構造については後述する。上記防水床部材１，２を支持する架台４は、ボルト・ナット等の組み合わせ等よりなる高さ調節脚５で高さ調節可能になされている。従って、防水床部材１，２に、所要の排水勾配を付与することができる。図１に示す例では、上側の防水床部材１から下側の防水床部材２へ向かって下り勾配となる緩斜面に形成されている。
【００２７】
なお本例では、上下の防水床部材１，２を、それぞれ異なる架台４で支持すると共に、下側の防水床部材２を支持する架台４に、上側の防水床部材１の下面に達する張出部４ａを設ける構成とした。但し、二つの防水床部材１，２を共通の架台で支持することも妨げない。なお防水床部材１，２と架台４とは、一体形成される場合もある。
【００２８】
前記防水床部材１，２は、耐水性と不透水性とを持つ材質、例えばＦＲＰ・金属・合成樹脂で製作される。防水床部材１，２がＦＲＰの場合、その上にタイルを接着剤で直接貼り付けるのは通常困難であるため、タイルとの接着性に優れた表層材Ｐを配置することが望ましい。このような表層材Ｐには、例えば、比較的曲げ強度の大きい補強板と、比較的比重が小さく且つ断熱性に優れた発泡板とを接合した板状材（例えばタイルクリート［商品名］）が用いられる。タイルクリートでは、上記補強板が、セメントやモルタル等からなる芯材の表面層にガラス繊維ネットや合成樹脂メッシュシートを埋設して強化した板状材であり、発泡板が、ポリスチレン等から成る発泡プラスチック層の表面にガラス繊維ネットで補強したポリマーセメント層を形成したものから成っており、優れた耐水性及び耐荷重強度とを有している。なお、複数のタイルクリート等の表層材Ｐを並べて配置する場合、表層材Ｐの接合部には、コーキング材を施すか、又は目止め材を含浸させたメッシュシート３０を貼り付けることで隙間を閉塞する。
【００２９】
ところで表層材Ｐを配置するにあたり、上下の防水床部材１，２に段差を有する場合、重ね合わせ領域の近傍において、下側の防水床部材２上に補強材Ｑを配置し、その上面が上側の防水床部材１の表面と実質的に同一面レベルとなるようにすることが望ましい。ここで補強材Ｑとは、耐水性と耐荷重強度とを備えるものであればよく、表層材Ｐと同じ材質とするほか、ＦＲＰ・金属・合成樹脂等で製作したものであってもよい。補強材Ｑを配設したことにより、表層材Ｐの下面が、上側の防水床部材１と補強材Ｑとで支持されることになるから、耐荷重強度の大きい防水床を構築できる。
【００３０】
本発明は、２つの防水床部材１，２の接合手段として、図２〜４に示すような接合部Ｊの構造を採用したところを特色としている。図２（Ａ）は最も基本的な構成を示すものであり、上下の防水床部材１，２の重ね合わせ領域Ｒに、吸水膨潤性シール材２０を配置してある。吸水膨潤性シール材２０は、自重の１００〜１０００倍の水を吸収して体膨張を起こすと共にゲル化する吸水性ポリマーを主体とする。吸水性ポリマーは粒状・繊維状などの形態に加工され、粒状の場合、透水性の袋やケースに収納して、保形性と体膨張の方向性とを与える。繊維状の場合は、棒状・板状に圧縮成形して用いる。また本例では、上側の防水床部材１から下側の防水床部材２へ向かう排水勾配を設けることで接合部Ｊに排水勾配を付与し、水が浸入しにくくなるようにしてある。
【００３１】
かかる構成により、防水床部材１，２の接合部Ｊに水が到達すると、吸水膨潤性シール材２０が水を吸収すると同時に体膨張して重ね合わせ領域Ｒを水密的に閉塞する。また図示の如く、吸水膨潤性シール材２０の周囲が開放空間であっても、体膨張の方向性を与えておけば、吸水膨潤性シール材２０を防水床部材１，２の表面に確実に密着させることができる。従って、図２（Ａ）のように、防水床部材１，２それぞれの平坦な端部を単に重ね合わせただけの接合部Ｊであっても、優れたシール性能を発揮することができる。しかも本例では、上側の防水床部材１から下側の防水床部材２へ向かう排水勾配を設けたから、重ね合わせ寸法を増減させても、接合部Ｊの排水勾配が維持される構造なので、防水床Ｆの寸法変更は、シール性能に悪影響を及ぼさない。
【００３２】
前記接合部Ｊの構造は、図２（Ｂ）に示すように、上側の防水床部材１における端縁に垂下部１ａを形成し、この垂下部１ａの下端を、下側の防水床部材２上面に当接させ、両者の重ね合わせ領域Ｒに吸水膨潤性シール材２０を配置する構成も可能である。かかる構成によれば、垂下部１ａにより上側の防水床部材１の曲げ強度が増大するから、変形が生じにくくなるので、シール性が向上するという利点が得られる。
【００３３】
図３（Ａ）〜（Ｃ）は、防水床部材１，２の重ね合わせ領域Ｒに実質的に閉塞空間となる収納空間Ｓを形成し、当該収納空間Ｓに吸水膨潤性シール材２０を充填する実施形態を示すものである。同図（Ａ）は、上側の防水床部材１の端縁部に垂下部１ａを形成すると共に、下側の防水床部材２の端縁部に起立部２ａを形成し、両者を重ね合わせることによって、垂下部１ａと起立部２ａとで囲まれた収納空間Ｓを形成したものである。かかる構成によれば、上下の防水床部材１，２の曲げ強度が垂下部１ａ及び起立部２ａにより増大するので、荷重が加わったときに変形が生じにくくなる。よってシール性能が向上する。また収納空間Ｓが実質的に閉塞空間であるから、粒状の吸水性ポリマーを袋やケースに詰め込まずに直接充填することも可能である。
【００３４】
図３（Ｂ）は、上側の防水床部材１の垂下部１ａと、下側の防水床部材２上に接合した突条２１とで、収納空間Ｓを形成したものである。本例では、防水床部材１，２の重ね合わせ量が変更されたとしても、突条２１の接合位置を適宜設定することにより、収納空間Ｓの寸法を一定に保つことができるという利点が得られる。あるいは、防水床部材１，２の重ね合わせ寸法にかかわらず、所望寸法の収納空間Ｓを形成することも可能である。
【００３５】
図３（Ｃ）は、下側の防水床部材２に溝部２ｂを形成し、上側の防水床部材１の垂下部１ａをこの溝部２ｂ内に挿入することにより、溝部２ｂと垂下部１ａとで囲まれた収納空間Ｓを形成したものである。なお、溝部２ｂにおける収納空間Ｓ以外の隙間はコーキング材Ｋを充填する。本例では、接合部Ｊがコーキング材と吸水膨潤性シール材２０とで二重にシールされるから、優れた漏水防止機能を発揮する。
【００３６】
図４（Ａ）（Ｂ）は、上下いずれか一方の防水床部材に溝部を形成し、他方の防水床部材を溝部の開口部に重ね合わせることにより、実質的に閉塞空間となる収納空間Ｓを形成する実施形態を示すものである。同図（Ａ）は、上側の防水床部材１の端縁部に二つの垂下部１ａ，１ｂを形成してその間に溝部１ｃを形成すると共に、下側の防水床部材２の端縁部を、当該溝部１ｃに重ね合わせて開口部を閉止することによって収納空間Ｓを形成したものである。また同図（Ｂ）は、下側の防水床部材２に溝部２ｂを形成すると共に、上側の防水床部材１の端縁部を、当該溝部２ｂに重ね合わせて開口部を閉止することによって収納空間Ｓを形成したものである。
【００３７】
本実施形態にあっては、上下いずれか一方の防水床部材１，２の端縁部は平坦であるから、重ね合わせ量の調整代を大きくとることができる。従って、現場における防水床Ｆの寸法変更に対処するのが容易である。また上下いずれか一方の防水床部材１，２に溝部を形成すればよく、他方の端縁部は平坦なままでよいから、製作コストを抑えられる。
【００３８】
［第２の実施形態］
図５は、隣接する防水床部材１，２を、側縁部間に架け渡した防水接合材２２によって接合することにより構築した防水床構造を示すものである。防水接合材２２の材質は防水床部材と共通でよいが、異なる材質でも差し支えない。同図（Ｂ）に示すように、防水床部材１，２それぞれの接合側端縁部に、段部２３，２３を設け、この段部２３に形成した溝２４に吸水膨潤性シール材２０を収納する。そして、上記段部２３，２３間に防水接合材２２を架け渡し接着剤・ビス等により接合する。
【００３９】
なお防水接合材２２の形状は、図５（Ｃ）に示す如く、断面を門構え形状とすることも考えられる。この場合、防水床部材１，２それぞれの端縁部に凹溝２５を設け、この凹溝２５，２５間に上記防水接合材２２を架け渡すと共に、内側に吸水膨潤性シール材２０を配置する。また、防水接合材２２と凹溝２５との隙間はコーキング材Ｋで充填する。
【００４０】
かかる構成の防水床構造は、隣接する防水床部材１，２間に架け渡した防水接合材２２の幅寸法を適宜調整することにより、防水床の施工寸法を容易に変更できる。すなわち、幅寸法の異なる防水接合材２２を使用することにより、あるいは現場で切断することにより、防水床を所望する寸法に仕上げることが可能である。
【００４１】
［第３の実施形態］
図６は、防水床を、耐水性を有する複数の下地材４０と、当該下地材４０の上に重層される防水シート５０と、当該防水シート５０の上に配置される表層材Ｐとで構築する場合の実施形態を示すものである。すなわち本例は、前述の防水床部材に代えて、下地材４０と防水シート５０とにより床の防水層を形成するものである。同６（Ａ）に示すように、下地材４０は、高さ調節脚５で高さ調節可能になされた架台４上に配設される。下地材４と表層材Ｐには例えばタイルクリートが使用される。防水シート５０には合成樹脂製のものが使用され、繊維補強する場合もある。所望により、表層材Ｐの上にはタイルＴが配設される。
【００４２】
本発明は、複数の下地材４０を連接して用いる場合に、その接合部に吸水膨潤性シール材２０を配置したところを特色としている。すなわち図６（Ｂ）に示すように、隣接する下地材４０の一方の接合端面に凸条４１を設けると共に、他方の下地材４０における接合端面に凹溝４２を形成し、上記凸条４１と凹溝４２を嵌合可能に構成する。そして、凸条４１と凹溝４２との隙間を吸水膨潤性シール材２０で充填する。
【００４３】
あるいは図６（Ｃ）に示すように、隣接する下地材４０，４０それぞれの接合端面に段部４３，４３を設けると共に、間に吸水膨潤性シール材２０を挟んで、両者を重ね合わせる構成も採用可能である。
【００４４】
本例の防水床構造によれば、万一、防水シート５０が破損して、下地材４０に漏水が及んだとしても、下地材４０の接合部に配置した吸水膨潤性シール材２０がこの水を吸収して接合部を水密的に閉塞するから、下地材４０より下方への漏水を確実に防止できる。
【００４５】
なお前記防水シート５０は、図７に示すように、表裏面に位置する二つの防水層５１，５１の間に、吸水すると膨潤する吸水膨潤性材料５２を挟み込んだ構造としてもよい。防水シート５０をかかる構造とした場合は、防水シート５０に破損が生じたときに、内部の吸水膨潤性材料５２が即座に水を吸収して膨潤し、破損部を水密的に閉塞するから、下方への漏水防止効果が発揮される。
【００４６】
［第４の実施形態］
図８に示すように、防水床部材１，２の上に下地材４０を配置して防水層を形成する防水床構造も考えられる。下地材４０の上に表層材Ｐが配置され、表層材Ｐの上にはタイルＴが配設される。本例においても、図６に示したような、下地材４０の接合部に吸水膨潤性シール材２０を配置する構成を採用することにより、漏水防止機能を発揮させることが可能である。
【実施例１】
【００４７】
図９及び図１０に本発明を浴室の防水床構造に適用した実施例を掲げる。ＦＲＰ等で製作した二つの防水床部材１，２が架台４で支持され、防水床部材１，２の上にタイルクリート等より成る表層材Ｐが配置されている。防水床部材１，２を支持する架台４は、ボルト・ナット等の組み合わせ等よりなる高さ調節脚５で高さ調節可能になされている。下側の防水床部材２を支持する架台４には、上側の防水床部材１の下面に達する張出部４ａが設けられている。本例では、上下の防水床部材１，２に段差を有しているので、重ね合わせ領域Ｒの近傍において、下側の防水床部材２上に補強材Ｑを配置し、その上面が上側の防水床部材１の表面と実質的に同一面レベルとなるように設定した。これにより、防水床部材１，２の上に配置した表層材Ｐの下面が、上側の防水床部材１と補強材Ｑとで支持されることになるから、耐荷重強度の大きい防水床を構築できる。
【００４８】
上側に位置する防水床部材１は浴室の洗い場７の一部を構成し、下側に位置する防水床部材２は、洗い場７の残りの部分と浴槽設置部８とを構成する。下側の防水床部材２における洗い場７と浴槽設置部８との境界部分は谷部１０となした。すなわち下側の防水床部材２は、洗い場７及び浴槽設置部８のいずれもが、側縁部から谷部１０へ向かって下り勾配（Ｘ方向の排水勾配：図１０参照）となる緩斜面に形成され、全体としてごく緩やかなＶ字形となっている。また下側の防水床部材２には、谷部１０の近傍であって且つ一方の側縁近傍に、洗い場７用と浴槽用の排水口３を二個形成し、両者を親子トラップ３ａで連接した。
【００４９】
防水床Ｆの設置にあたっては、上下の防水床部材１，２に、谷部１０と平行な方向（Ｘ方向に対し直交する方向）の排水勾配、つまり図１０において矢印Ｙで示す方向の排水勾配を付与することが望ましい。このＹ方向の排水勾配は、架台４を支える高さ調節脚５の高さ調節をすることによって与えることが可能である。防水床Ｆに、前記Ｘ方向の排水勾配とＹ方向の排水勾配とを与えることにより、両者を合成したＺ方向の排水勾配が設けられる。
【００５０】
防水床部材１，２の接合構造は、図９（Ｂ）に示すとおりである。すなわち、下側の防水床部材２における端縁に形成した起立部２ａ上に、上側の防水床部材１の下面を重ね合わせる。他方、上側の防水床部材１における端縁に垂下部１ａを形成し、この垂下部１ａの下端を、下側の防水床部材２上面に当接させ、両者間をコーキング材Ｋでシールする。さらに、上下の防水床部材１，２の重ね合わせ領域に形成される収納空間Ｓに、吸水膨潤性シール材２０を配置する。また、下側の防水床部材２を支持する架台張出部４ａ上に支持部６を設け、この支持部６を上側の防水床部材１の下面に接着剤９で固定する。
【００５１】
かかる構成の防水床Ｆは、表層材Ｐに落ちた水が防水床部材１，２に達して、接合部Ｊ内に浸入しようとしても、重ね合わせ領域Ｒに配置した吸水膨潤性シール材２０が即座に水を吸収して体膨張し、接合部Ｊの隙間を水密的に閉止する。従って、防水床部材１，２から下へは決して水を漏出させることがない。
【００５２】
しかも上記に加えて本実施例では、防水床部材１，２の重ね合わせ領域Ｒに排水勾配を付与したから、接合部Ｊに水が浸入しにくくなっている。その上、万一、接合部Ｊを水が通過したとしても、起立部２ａがその水を堰き止めるから、防水床Ｆ外部への漏水防止が確実になっている。さらに、上側の防水床部材１に垂下部１ａを形成し、下側の防水床部材２に起立部２ａを形成したことにより、重ね合わせ領域Ｒの曲げ強度が向上しているから変形が生じにくく、よってシール性能の維持が容易である。
【図面の簡単な説明】
【００５３】
【図１】本発明に係る防水床構造の第１の実施形態を示すものであって、表層材ＰとタイルＴとを分離して示す正面図である。
【図２】本発明に係る防水床構造に関するものであって、図（Ａ）（Ｂ）はいずれも防水床部材の接合部の各種態様を例示する要部の正面図である。
【図３】本発明に係る防水床構造に関するものであって、図（Ａ）（Ｂ）（Ｃ）はいずれも防水床部材の接合部の各種態様を例示する要部の正面図である。
【図４】本発明に係る防水床構造に関するものであって、図（Ａ）（Ｂ）はいずれも防水床部材の接合部の各種態様を例示する要部の正面図である。
【図５】本発明に係る防水床構造の第２の実施形態を示すものであって、図（Ａ）は表層材ＰとタイルＴとを分離して示す正面図、図（Ｂ）は防水床部材の接合部の構造を示す要部の正面図、図（Ｃ）は防水床部材の接合部の構造の異なる態様を示す要部の正面図である。
【図６】本発明に係る防水床構造の第３の実施形態を示すものであって、図（Ａ）はタイルＴと表層材Ｐと防水シート５０とを分離して示す正面図、図（Ｂ）は下地材の接合部の構造を示す要部の正面図、図（Ｃ）は下地材の接合部の構造の異なる態様を示す要部の正面図である。
【図７】本発明に係る防水床構造に使用する防水シートを例示する要部の正面断面図である。
【図８】本発明に係る防水床構造の第４の実施形態を示すものであって、タイルＴと表層材Ｐと下地材４０とを分離して示す正面図である。
【図９】本発明を浴室の防水床構造に適用した実施例を示すものであり、図（Ａ）は正面断面図、図（Ｂ）は接合部を拡大して示す正面断面図である。
【図１０】本発明を浴室の防水床構造に適用した実施例を示す平面図である。
【符号の説明】
【００５４】
Ｆ…防水床  Ｋ…コーキング材  Ｊ…接合部  Ｐ…表層材  Ｑ…補強材  Ｒ…重ね合わせ領域  Ｓ…収納空間  Ｔ…タイル（仕上げ材）  １…防水床部材（上）  １ａ…垂下部  ２…防水床部材（下）  ２ａ…起立部  ２ｂ…溝部  ３…排水口  ４…架台  ５…高さ調節脚  ７…洗い場  ８…浴槽設置部  １０…谷部  ２０…吸水膨潤性シール材  ２１…突条  ２２…防水接合材  ４０…下地材  ５０…防水シート  
【図１】
2006112146.tif 000003
【図２】
2006112146.tif 000004
【図３】
2006112146.tif 000005
【図４】
2006112146.tif 000006
【図５】
2006112146.tif 000007
【図６】
2006112146.tif 000008
【図７】
2006112146.tif 000009
【図８】
2006112146.tif 000010
【図９】
2006112146.tif 000011
【図１０】
2006112146.tif 000012